(57)【要約】【課題】  尺モジュール及びメーターモジュールでそれぞれ形成されたサニタリールームを併設し、顧客が両空間を容易に比較検討することができるサニタリールーム比較体験施設を提供することを目的とする。【解決手段】  サニタリールーム比較体験施設１は、尺モジュールで形成された第１洗面室２１及び第１浴室２２を有する第１サニタリールーム２と、メーターモジュールで形成された第２洗面室３１及び第２浴室３２を有する第２サニタリールーム３と、を併設した施設であって、第２サニタリールーム３は、第２洗面室３１の壁面Ｗ６ａに第１洗面室２１及び第２洗面室３１の各内寸法Ａ１、Ａ２を併記するとともに、第２浴室３２の床面７２ａに第１浴室２２の洗い場７１及び第２浴室３２の洗い場７２の各幅寸法Ｂ１、Ｂ２を併記する。【選択図】図１
2020197612.tif 000002
【特許請求の範囲】
【請求項１】
尺モジュールで形成された第１洗面室及び第１浴室を有する第１サニタリールームと、メーターモジュールで形成された第２洗面室及び第２浴室を有する第２サニタリールームと、を併設したサニタリールーム比較体験施設であって、
前記第２サニタリールームは、前記第２洗面室の壁面に当該第１洗面室及び前記第２洗面室の各内寸法を併記するとともに、前記第２浴室の床面に当該第１浴室の洗い場及び前記第２浴室の洗い場の各幅寸法を併記することを特徴とするサニタリールーム比較体験施設。
【請求項２】
前記第１洗面室は、壁体によって前記第１サニタリールーム外に形成された通路と隔てられるとともに、前記壁体に形成された第１出入口によって前記通路と行き来可能に連通しており、且つ、前記第１出入口に相対向する第２出入口によって前記第１浴室と行き来可能に連通することを特徴とする請求項１に記載のサニタリールーム比較体験施設。
【請求項３】
前記第２洗面室及び第２浴室は、前記壁体によって前記通路と隔てられており、
前記第２洗面室は、前記壁体に形成された第３出入口によって前記通路と行き来可能に連通するとともに、前記第３出入口に直交する位置に形成された第４出入口によって前記第２浴室と行き来可能に連通し、
前記第２浴室は、前記壁体に形成された透過性を有する開口部を通じて前記通路から視認可能であることを特徴とする請求項１又は請求項２に記載のサニタリールーム比較体験施設。
【請求項４】
前記第１出入口及び前記第３出入口は、同一の開口幅で形成され、
前記第２出入口及び前記第４出入口は、同一の開口幅で形成されることを特徴とする請求項１から請求項３のいずれかに記載のサニタリールーム比較体験施設。
【発明の詳細な説明】
【技術分野】
【０００１】
本発明は、尺モジュールで形成されたサニタリールームと、メーターモジュールで形成されたサニタリールームと、を併設したサニタリールーム比較体験施設に関する。
【背景技術】
【０００２】
従来より、住宅の新築工事や建て替え工事を検討している顧客に対して、新設又は改装される洗面室や浴室といったサニタリールームの実物大模型や空間を提示し、工事前に予め仕上げや広さを確認することができる発明が提案されている（例えば、特許文献１、特許文献２）。この発明では、顧客が住宅の新築工事や建て替え工事を行う前に事前に洗面室や浴室の仕上がりを把握することができるので、顧客は不安や疑問を抱えることなく安心して工事を進めることができる。
【先行技術文献】
【特許文献】
【０００３】
【特許文献１】特開平１０−３１４１４
【特許文献２】実登３２０４５０７
【発明の概要】
【発明が解決しようとする課題】
【０００４】
しかしながらこれらの発明では、顧客が今現在使用している既設の洗面室や浴室と同等の模型や空間については提示されないため、顧客は既設及び新設のそれぞれの洗面室や浴室の広さ、快適性、仕様の違いなどを同時に比較することができず、２つの空間の比較検討を行うことが難しい。また、顧客は、従来より我が国で採用されている尺モジュールで形成されたサニタリールームを使用していることが多く、新設予定のメーターモジュールで形成されるサニタリールームと今現在使用しているサニタリールームとの違いを分かり易く体感できる施設が望まれていた。
【０００５】
そこで、本発明は、上述した課題を鑑みてなされたものであって、尺モジュール及びメーターモジュールでそれぞれ形成されたサニタリールームを併設し、顧客が両空間を容易に比較検討することができるサニタリールーム比較体験施設を提供することを目的とする。
【課題を解決するための手段】
【０００６】
本発明の第１のサニタリールーム比較体験施設は、尺モジュールで形成された第１洗面室及び第１浴室を有する第１サニタリールームと、メーターモジュールで形成された第２洗面室及び第２浴室を有する第２サニタリールームと、を併設したサニタリールーム比較体験施設であって、前記第２サニタリールームは、前記第２洗面室の壁面に当該第１洗面室及び前記第２洗面室の各内寸法を併記するとともに、前記第２浴室の床面に当該第１浴室の洗い場及び前記第２浴室の洗い場の各幅寸法を併記することを特徴としている。
【０００７】
本発明の第２のサニタリールーム比較体験施設は、前記第１洗面室が、壁体によって前記第１サニタリールーム外に形成された通路と隔てられるとともに、前記壁体に形成された第１出入口によって前記通路と行き来可能に連通しており、且つ、前記第１出入口に相対向する第２出入口によって前記第１浴室と行き来可能に連通することを特徴としている。
【０００８】
本発明の第３のサニタリールーム比較体験施設は、前記第２洗面室及び第２浴室が、前記壁体によって前記通路と隔てられており、前記第２洗面室は、前記壁体に形成された第３出入口によって前記通路と行き来可能に連通するとともに、前記第３出入口に直交する位置に形成された第４出入口によって前記第２浴室と行き来可能に連通し、前記第２浴室は、前記壁体に形成された透過性を有する開口部を通じて前記通路から視認可能であることを特徴としている。
【０００９】
本発明の第４のサニタリールーム比較体験施設は、前記第１出入口及び前記第３出入口が、同一の開口幅で形成され、前記第２出入口及び前記第４出入口は、同一の開口幅で形成されることを特徴としている。
【発明の効果】
【００１０】
本発明の第１のサニタリールーム比較体験施設によると、従来より我が国で広く採用されている尺モジュールで形成された第１洗面室及び第１浴室を有する第１サニタリールームと、尺モジュールよりも壁面間の内寸法が長くなるメーターモジュールで形成された第２洗面室及び第２浴室を有する第２サニタリールームと、を併設しているので、サニタリールームの新設工事又は改装工事を検討している顧客は、従来より広く普及している尺モジュールで形成された空間と新設予定のメーターモジュールで形成された空間とを体感して両空間を比較することができる。また、第２サニタリールームは、第２洗面室の壁面に、第２洗面室及び第１洗面室の各内寸法を併記するとともに、第２浴室の床面に第２浴室の洗い場及び第１浴室の洗い場の各幅寸法を併記するので、顧客は、今現在使用している自身のサニタリールームと、新設されるサニタリールームとの広さ、快適性、仕様の違いを体感しながら視界に入る情報を通じて効果的に両空間を比較検討することができる。
【００１１】
本発明の第２のサニタリールーム比較体験施設によると、第１洗面室は、第１出入口に相対向する第２出入口によって第１浴室と行き来可能に連通しているので、第１サニタリールームは、第１出入口から第１洗面室方向を見ると、第２出入口を通して第１浴室まで見渡すことができる直線的なサニタリールームを形成することができ、顧客は今現在使用している自身のサニタリールームに近い仕様のモデルを体感することができる。
【００１２】
本発明の第３のサニタリールーム比較体験施設によると、第１壁体に形成された開口部を通じて第２浴室内部を視認することができるので、第２サニタリールームを演出感のある空間とすることができ、顧客は新設されるサニタリールームの仕様に憧れや期待感を持つことができる。
【００１３】
本発明の第４のサニタリールーム比較体験施設によると、第１出入口及び第３出入口は同一の開口幅で形成され、また、第２出入口及び第４出入口は同一の開口幅で形成されるので、尺モジュールで形成された空間と、メーターモジュールで形成された空間との違いをより明確に体感することができる。
【図面の簡単な説明】
【００１４】
【図１】第１サニタリールーム及び第２サニタリールームを示す平面図。
【図２】図１のＡ−Ａ断面図。
【図３】図１のＢ−Ｂ断面図。
【発明を実施するための形態】
【００１５】
以下、本発明に係るサニタリールーム比較体験施設１の実施形態について各図を参照しつつ説明する。サニタリールーム比較体験施設１は、主に住宅の様々な性能や内部構造を観覧、体感できる住環境展示施設のような屋内施設に設置され、住宅の新築工事や建て替え工事を検討している顧客に対して説明を行う際に用いられる。
【００１６】
サニタリールーム比較体験施設１は、顧客が尺モジュール及びメーターモジュールでそれぞれ形成された各サニタリールームの空間の違いを比較検討するためのものである。尺モジュールは、１グリッドが９１０ｍｍ×９１０ｍｍであり、従来より我が国で広く採用されるモジュールである。また、メーターモジュールは１グリッドが１０００ｍ×１０００ｍｍであり、１グリット単位で比較するとメーターモジュールの方が面積が広くなる。サニタリールームの新設や改装を検討している顧客は、従来より我が国で採用されている尺モジュールで形成されたサニタリールームを使用していることが多く、サニタリールーム比較体験施設１によって、尺モジュールと新設予定のメーターモジュールとの違いを分かり易く体感することができる。
【００１７】
サニタリールーム比較体験施設１は、図１に示すように、平面視略矩形に形成された第１洗面室２１及び第１浴室２２を有する第１サニタリールーム２と、同じく平面視略矩形に形成された第２洗面室３１及び第２浴室３２を有する第２サニタリールーム３と、の２種類のサニタリールームを併設している。各サニタリールーム２、３は、第１壁体Ｗ１によって屋内施設の通路４と隔てられており、顧客はこの通路４から第１壁体Ｗ１に形成された各出入口を通じてそれぞれのサニタリールーム２、３内に入室することができる。
【００１８】
第１サニタリールーム２は、第１壁体Ｗ１、第１壁体Ｗ１に直交する第２壁体Ｗ２、第３壁体Ｗ３、第１壁体Ｗ１に相対向する第４壁体Ｗ４によって平面視矩形状の空間を形成し、第２壁体Ｗ２と第３壁体Ｗ３との略中間に各壁体Ｗ２、Ｗ３間を結ぶ第５壁体Ｗ５を設置することで第１洗面室２１及び第１浴室２２を形成している。また、第１洗面室２１及び第１浴室２２は尺モジュールで形成されており、各壁体間の中心間距離Ｌ１を例えば１８２０ｍｍとすることができる。
【００１９】
図１及び図２に示すように、第１洗面室２１は、第１壁体Ｗ１によって通路４と隔てられるとともに、第１壁体Ｗ１に形成された第１出入口Ｄ１によって通路４と行き来可能に連通しており、また、第１壁体Ｗ１に相対向する第５壁体Ｗ５によって第１浴室２２と隔てられるとともに、第５壁体Ｗ５に形成された第２出入口Ｄ２によって第１浴室２２と行き来可能に連通している。第１出入口Ｄ１は、第１壁体Ｗ１に直交する第２壁体Ｗ２、及び第３壁体Ｗ３のうち第２壁体Ｗ２側寄りに設置されており、第３壁体Ｗ３には、壁面Ｗ３ａに沿って洗面台５１及び洗濯機６１が設置されている。
【００２０】
第１浴室２２には、第２壁体Ｗ２に沿って洗い場７１が形成され、第４壁体Ｗ４の壁面に沿って浴槽８１が設置されている。第２出入口Ｄ２は、第１出入口Ｄ１と略相対向する位置に形成されており、通路４から第１出入口Ｄ１に立って第１洗面室２１を見ると、第１洗面室２１だけでなく第２出入口Ｄ２を通じて第１浴室２２までもを見通すことができる。したがって、第１サニタリールーム２を直線的な空間とすることができ、顧客は今現在使用している自身のサニタリールームに近い仕様のモデルを体感することができる。。
【００２１】
図２に示すように、第１洗面室２１に面する第３壁体Ｗ３の壁面Ｗ３ａには、第１壁体Ｗ１から第５壁体Ｗ５までの内寸法を記載した第１内寸法表記Ａ１が固定されている。また、図１に示す第１浴室２２の洗い場７１の床面７１ａには、洗い場７１の幅寸法である第２壁体Ｗ２から浴槽８１までの距離を記載した第１幅寸法表記Ｂ１が固定されており、顧客は、第１サニタリールーム２に入って尺モジュールの空間を体感するとともに、これらの表記Ａ１、Ｂ１を目視確認することにより、尺モジュール空間の広さを視覚情報として認識することができる。
【００２２】
図１に示すように、第２サニタリールーム３は、第１壁体Ｗ１、第１壁体Ｗ１に直交する第６壁体Ｗ６、第７壁体Ｗ７、第１壁体Ｗ１に相対向する第８壁体Ｗ８によって平面視矩形状の空間を形成し、第１壁体Ｗ１と第８壁体Ｗ８の略中間に各壁体Ｗ１、Ｗ８間を結ぶ第９壁体Ｗ９を設置することで第２洗面室３１及び第２浴室３２を形成している。また、第２洗面室３１及び第２浴室３２はメーターモジュールで形成されており、例えば第１壁体Ｗ１と第８壁体Ｗ８との中心間距離Ｌ２を２０００ｍｍとすることができる。
【００２３】
図１に示すように、第２洗面室３１は、第１壁体Ｗ１によって通路４と隔てられるとともに第１壁体Ｗ１に形成された第３出入口Ｄ３によって通路４と行き来可能に連通しており、また、第９壁体Ｗ９によって第２浴室３２と隔てられるとともに、第９壁体Ｗ９に形成された第４出入口Ｄ４によって第２浴室３２と行き来可能に連通している。第３出入口Ｄ３は、第１壁体Ｗ１に直交する第６壁体Ｗ６、及び第９壁体Ｗ９のうち第９壁体Ｗ９寄りに形成され、第６壁体Ｗ６には、壁面Ｗ６ａに沿って洗面台５２と洗濯機６２とが並んで配置されている。
【００２４】
第２浴室３２は、第１壁体Ｗ１に面して洗い場７２が形成され、第４壁体Ｗ４の壁面に沿って浴槽８２が設置されている。また第１壁体Ｗ１には、透明ガラスなどの透過性を有する面材が嵌め困れた開口部Ｘが形成されており、開口部Ｘを通じて通路４から第１浴室２２内部を見ると、第１浴室２２だけでなく、第４出入口Ｄ４から第２洗面室３１内部までもを確認することができる。このように、第２サニタリールーム３を通路４から見て幅方向に広がりのある空間とし、さらに第１壁体Ｗ１に開口部Ｘを設けることによって、第２サニタリールーム３を演出感のある空間とすることができ、顧客は新設されるサニタリールームの仕様に期待感を持つことができる。
【００２５】
また、図３に示すように、第２洗面室３１に面する第６壁体Ｗ６の壁面Ｗ６ａには、第１内寸法表記Ａ１、及び第１壁体Ｗ１から第８壁体Ｗ８までの内寸法を記載した第２内寸法表記Ａ２が並べて固定されている。そして、図１に示す第２浴室３２の洗い場７２の床面７２ａには、第１幅寸法表記Ｂ１、及び第２浴室３２の洗い場７２の幅寸法である第１壁体Ｗ１から浴槽８２までの距離を記載した第２幅寸法表記Ｂ２が並べて固定されており、顧客は、第２サニタリールーム３に入ってメーターモジュールの空間の広さ、快適性、仕様の違いを体感するとともに、尺モジュールに基づく表記Ａ１及びＢ１と、メーターモジュールに基づく表記Ａ２及びＢ２を目視で比較することにより、尺モジュールとの空間の違いを効果的に実感することができる。
【００２６】
なお、第１出入口Ｄ１及び第３出入口Ｄ３は同一の開口幅で形成されており、また、第２出入口Ｄ２及び第４出入口Ｄ４も同様に同一の開口幅で形成されている。このように、モジュールに併せて各出入口の開口幅を変えるのではなく、通路〜洗面室の出入口Ｄ１、Ｄ３の各開口幅及び洗面室〜浴室の出入口Ｄ２、Ｄ４の各開口幅を同一とすることにより、尺モジュールで形成された空間と、メーターモジュールで形成された空間との違いをより明確に体感することができる。
【００２７】
そして、本発明のサニタリールーム比較体験施設１は、先述したように各サニタリールーム２、３の室形状や出入口の位置などに工夫を施しているので、各モジュールで形成された空間ごとの違いを効果的に強調することができる。したがって顧客は、各表記Ａ１、Ａ２、Ｂ１、Ｂ２と併せて両空間２、３の違いを明確に認識し、不安や疑問を抱えることなく安心して工事を進めることができる。
【００２８】
本発明の実施の形態は上述の形態に限ることなく、本発明の思想の範囲を逸脱しない範囲で適宜変更することができる。
【産業上の利用可能性】
【００２９】
本発明に係るサニタリールーム比較体験施設は、サニタリールームの新設工事や改装工事を検討する際に好適に使用することができる。
【符号の説明】
【００３０】
１        サニタリールーム比較体験施設
２        第１サニタリールーム
３        第２サニタリールーム
４        通路
７１      （第１浴室の）洗い場
７２      （第２浴室の）洗い場
７２ａ    （第２浴室の）床面
Ａ１      第１内寸法表記（第１洗面室の内寸法）
Ａ２      第２内寸法表記（第２洗面室の内寸法）
Ｂ１      第１幅寸法表記（第１浴室の洗い場の幅寸法）
Ｂ２      第２幅寸法表記（第２浴室の洗い場の幅寸法）
Ｗ１      第１壁体（壁体）
Ｗ６ａ    第６壁体の壁面（第２洗面室の壁面）
Ｄ１      第１出入口
Ｄ２      第２出入口
Ｄ３      第３出入口
Ｄ４      第４出入口
Ｘ        開口部
【図１】
2020197612.tif 000003
【図２】
2020197612.tif 000004
【図３】
2020197612.tif 000005